(57)【要約】      （修正有）【課題】強度及び耐久性を向上させ、しかも、手持ち花火を交換し易くさせた花火保持具を提供する。【解決手段】手持ち花火を手元から離れた位置で保持するための花火保持具である。一端３及び他端４を有する棒状の本体部２を有する。本体部には、第１花火差込部５が設けられている。花火差込部は、本体部の一端で開口しかつ本体部２の長さ方向にのびるスリット１０である。【選択図】図１
0003190509.tif 000002
【実用新案登録請求の範囲】
【請求項１】
手持ち花火を手元から離れた位置で保持するための花火保持具であって、
一端及び他端を有する棒状の本体部を有し、
前記本体部は、前記手持ち花火の持ち手部分を固定するための第１花火差込部が設けられており、
前記第１花火差込部は、前記本体部の前記一端で開口しかつ前記本体部の長さ方向にのびるスリットであることを特徴とする花火保持具。
【請求項２】
前記スリットは、略一定のスリット間隔で前記長さ方向にのびる平行部を少なくとも一部に含む請求項１記載の花火保持具。
【請求項３】
前記スリットは、スリット間隔が前記他端側に向かって漸減しているテーパー部を少なくとも一部に含む請求項１又は２記載の花火保持具。
【請求項４】
前記スリットは、スリット間隔が前記他端側に向かって漸減しているテーパー部を少なくとも一部に含み、
前記テーパー部は、前記平行部よりも前記一端側に設けられている請求項２記載の花火保持具。
【請求項５】
前記スリットは、スリット間隔を円弧状に拡大させた割れ止め孔で終端している請求項１乃至４のいずれかに記載の花火保持具。
【請求項６】
前記本体部は、前記長さ方向にのびる複数の略平面状の平面で囲まれた略多角柱状であり、
しかも、前記本体部は、互いに隣り合う前記各平面の間の角部が除去された面取り部を有している請求項１乃至５のいずれかに記載の花火保持具。
【請求項７】
前記本体部は、木質材で形成されている請求項１乃至６のいずれかに記載の花火保持具。
【請求項８】
前記他端には、前記一端側に向かって内径が漸減するテーパー凹部と、前記テーパー凹部の底で開口しかつ前記本体部の長さ方向にのびる差込孔とを含む第２花火差込部が設けられた請求項１乃至７のいずれかに記載の花火保持具。
【考案の詳細な説明】
【技術分野】
【０００１】
本考案は、手持ち花火を手元から離れた位置で保持するための花火保持具に関する。
【背景技術】
【０００２】
下記特許文献１には、手持ち花火（おもちゃ）を手元から離れた位置で保持するための花火保持具が提案されている。このような花火保持具は、手持ち花火の燃焼部分と花火使用者の手元との距離を大きくすることができる。このため、小さな子供でも怖がらずに手持ち花火を楽しむことができる。
【０００３】
しかしながら、特許文献１の花火保持具は、花火が脱落し易いという問題があった。
【先行技術文献】
【特許文献】
【０００４】
【特許文献１】特開２００３−２４７７９８号公報
【考案の概要】
【考案が解決しようとする課題】
【０００５】
本考案は、以上のような問題点に鑑み案出なされたもので、棒状の本体部の一端にスリットを設けることを基本として、使用中の手持ち花火の脱落を抑制しうる花火保持具を提供することを主たる目的としている。
【課題を解決するための手段】
【０００６】
本考案は、手持ち花火を手元から離れた位置で保持するための花火保持具であって、一端及び他端を有する棒状の本体部を有し、前記本体部は、前記手持ち花火の持ち手部分を固定するための第１花火差込部が設けられており、前記第１花火差込部は、前記本体部の前記一端で開口しかつ前記本体部の長さ方向にのびるスリットであることを特徴としている。
【０００７】
本考案の花火保持具は、前記スリットは、略一定のスリット間隔で前記長さ方向にのびる平行部を少なくとも一部に含むのが望ましい。
【０００８】
本考案の花火保持具は、前記スリットは、スリット間隔が前記他端側に向かって漸減しているテーパー部を少なくとも一部に含むのが望ましい。
【０００９】
本考案の花火保持具は、前記スリットは、スリット間隔が前記他端側に向かって漸減しているテーパー部を少なくとも一部に含み、前記テーパー部は、前記平行部よりも前記一端側に設けられているのが望ましい。
【００１０】
本考案の花火保持具は、前記スリットは、スリット間隔を円弧状に拡大させた割れ止め孔で終端しているのが望ましい。
【００１１】
本考案の花火保持具は、前記本体部は、前記長さ方向にのびる複数の略平面状の平面で囲まれた略多角柱状であり、しかも、前記本体部は、互いに隣り合う前記各平面の間の角部が除去された面取り部を有しているのが望ましい。
【００１２】
本考案の花火保持具は、前記本体部は、木質材で形成されているのが望ましい。
【００１３】
本考案の花火保持具は、前記他端には、前記一端側に向かって内径が漸減するテーパー凹部と、前記テーパー凹部の底で開口しかつ前記本体部の長さ方向にのびる差込孔とを含む第２花火差込部が設けられているのが望ましい。
【考案の効果】
【００１４】
本考案の花火保持具は、一端及び他端を有する棒状の本体部を有している。本体部は、手持ち花火の持ち手部分を固定するための第１花火差込部が設けられている。第１花火差込部は、本体部の一端で開口しかつ本体部の長さ方向にのびるスリットである。
【００１５】
このようなスリットは、使用中の手持ち花火が挿入されることで、花火をしっかりと保持することができる。従って、本考案の花火保持具は、花火の脱落を防止することができる。しかも、本考案の花火保持具は、簡単に使用後の手持ち花火を取り外し、交換等することができる。
【図面の簡単な説明】
【００１６】
【図１】本実施形態の花火保持具を示す斜視図である。
【図２】（ａ）は、スリットが手持ち花火を保持しているときの拡大斜視図であり、（ｂ）は、花火保持具を使用しているときの説明図である。
【図３】図１の本体部のＡ−Ａ断面図である。
【図４】図１のスリットの拡大正面図である。
【図５】他の実施形態のスリットの拡大斜視図である。
【図６】他の実施形態のスリットの拡大斜視図である。
【図７】他の実施形態のスリットの拡大斜視図である。
【図８】他の実施形態の花火保持具を示す斜視図である。
【図９】図８の第２花火差込部のＢ−Ｂ断面図である。
【考案を実施するための形態】
【００１７】
以下、本考案の実施の一形態が図面に基づき説明される。
図１には、本実施形態の花火保持具１の斜視図が示されている。図１に示されるように、本実施形態の花火保持具１は、棒状の本体部２を有している。本体部２は、長手方向において、一端３及び他端４を有している。
【００１８】
本体部２は、手持ち花火の持ち手部分を固定するための第１花火差込部５が設けられている。
【００１９】
第１花火差込部５は、例えば、一端３側に設けられている。第１花火差込部５は、一端３で開口するスリット１０である。スリット１０は、本体部２の長さ方向にのびている。
【００２０】
図２（ａ）及び（ｂ）には、本実施形態の花火保持具１の使用時の状態が示されている。図２（ａ）に示されるように、花火保持具１のスリット１０には、紙筒又は木串等で形成された手持ち花火ａの持ち手部分ｂが挿入される。持ち手部分ｂは、スリット１０との摩擦によって保持される。図２（ｂ）に示されるように、花火使用者は、花火保持具１の他端４側を持つことができる。これにより、手持ち花火ａの燃焼部分ｃと花火使用者の手元ｄとの距離が十分に大きく確保される。従って、小さな子供でも怖がらずに手持ち花火を楽しむことができる。
【００２１】
しかも、このようなスリット１０は、本体部２の弾性変形の復元力と摩擦力とによって、使用中の手持ち花火をしっかりと保持し、その脱落を防止しうる。また、花火の使用後は、持ち手部分ｂをスリット１０から取り外すことで、簡単に使用後の手持ち花火を交換することができる。
【００２２】
花火保持具１の剛性及び耐久性を向上させるために、本実施形態の花火保持具１は、例えば、木質材で形成されている。このような花火保持具１は、優れた耐久性を発揮し、使用済みの手持ち花火を何度でも交換して使用することができる。
【００２３】
図１に示されるように、本体部２は、例えば、長さ方向に直線状にのびているのが望ましい。本実施形態の本体部２の全長は、例えば、４００〜６００mmである。これにより、手持ち花火の燃焼部分と花火使用者の手元との距離が十分に確保される。
【００２４】
本体部２は、例えば、複数の平面６で囲まれた略多角柱状である。平面６は、長さ方向にのびている。本実施形態の本体部２は、４つの平面６を有する略四角柱状である。本体部２は、例えば、円柱状でも良い。
【００２５】
図３には、図１の本体部２のＡ−Ａ断面図が示されている。図３に示されるように、本体部２は、例えば、面取り部８を有しているのが望ましい。面取り部８は、互いに隣り合う各平面６、６間の角部７を除去している。これにより、使用者が本体部２を持ち易くなる。なお、本明細書の図３以外の図では、面取り部８は省略されている。
【００２６】
本体部２の長さ方向に対して垂直な幅Ｗ１は、例えば、１０〜１５mmである。このような本体部２は、例えば、木の廃材を有効に利用して生産することができる。
【００２７】
図４には、本実施形態のスリット１０の拡大正面図が示されている。図４に示されるように、本実施形態のスリット１０は、本体部２の長さ方向にスリット間隔を変化させている。スリット１０は、例えば、平行部１１とテーパー部１２とを少なくとも一部に有している。
【００２８】
平行部１１は、略一定のスリット間隔ｔ１で長さ方向にのびている。スリット間隔ｔ１は、好ましくは０．５mm以上、より好ましくは０．８mm以上であり、好ましくは１．５mm以下、より好ましくは１．２mm以下である。このような平行部１１は、例えば、比較的小さな外径の持ち手部分ｂ（図１に示され、以下同様である。）を、効果的に保持することができる。
【００２９】
平行部１１の長さＬ１は、好ましくは３０mm以上、より好ましくは３５mm以上であり、好ましくは５０mm以下、より好ましくは４５mm以下である。前記長さＬ１が３０mmより小さい場合、スリット１０の底部１４を起点として本体部２が割れるおそれがある。前記長さＬ１が５０mmより大きい場合、使用時、手持ち花火が脱落するおそれがある。
【００３０】
テーパー部１２は、例えば、スリット間隔が本体部２の他端４（図１に示され、以下同様である。）側に向かって漸減している。テーパー部１２は、例えば、平行部１１よりも本体部２の一端３側に設けられている。本実施形態のテーパー部１２は、本体部２の一端３からスリット間隔を漸減させている。このようなテーパー部１２は、持ち手部分ｂをスリット１０に挿入し易くし、しかも、比較的大きな外径の持ち手部分ｂでも、しっかりと保持することができる。
【００３１】
上述の効果をさらに発揮させるために、テーパー部１２の長さＬ２は、好ましくは平行部１１の長さＬ１の０．４０倍以上、より好ましくは０．４５倍以上であり、好ましくは０．６０倍以下、より好ましくは０．５５倍以下である。
【００３２】
本体部２の長さ方向に対するテーパー部１２のスリット外面１２ｓの角度θ１は、好ましくは４°以上、より好ましくは５°以上であり、好ましくは８°以下、より好ましくは７°以下である。このようなテーパー部１２は、優れた保持力を発揮する。
【００３３】
テーパー部１２の開口部１５でのスリット間隔ｔ２は、好ましくは本体部２の幅Ｗ１の０．３０倍以上、より好ましくは０．３５倍以上であり、好ましくは０．５０倍以下、より好ましくは０．４５倍以下である。これにより、本体部２の割れを抑制しつつ、より大きな外径の持ち手部分ｂを保持することができる。
【００３４】
本考案のスリット１０は、上述のような形態に限定されない。本考案のスリット１０は、例えば、平行部１１のみで形成されても良く、テーパー部１２のみで形成されても良い。
【００３５】
図５には、本考案の他の実施形態が示されている。この実施形態のスリット１０は、割れ止め孔１７で終端している。割れ止め孔１７は、スリット間隔ｔ１を直径Ｄ１の円弧状に拡大させている。このような割れ止め孔１７は、スリット１０を起点とした本体部２の割れを効果的に抑制する。
【００３６】
図６には、さらに、本考案の他の実施形態が示されている。この実施形態のスリット１０は、第１平行部１１Ａ及び第２平行部１１Ｂ、並びに、テーパー部１２を含んでいる。第１平行部１１Ａは、本体部２の一端３側で開口している。第２平行部１１Ｂは、第１平行部１１Ａよりも本体部２の他端４側に設けられ、かつ、第１平行部１１Ａよりも小さいスリット間隔を有している。テーパー部１２は、第１平行部１１Ａと第２平行部１１Ｂとの間に設けられている。このようなスリット１０は、さらに大きな外径を有する持ち手部分ｂを保持することができる。
【００３７】
図７には、さらに、本考案の他の実施形態が示されている。この実施形態では、本体部２に、第１スリット１０Ａと第２スリット１０Ｂとが設けられている。第１スリット１０Ａ及び第２スリット１０Ｂは、それぞれ、図５で示されたスリット１０と同一の形状を有している。第１スリット１０Ａと第２スリット１０Ｂとは、長さ方向と直角な断面で十字状に交差している。これにより、例えば、複数の手持ち花火を同時に保持することができる。
【００３８】
図８には、さらに、本考案の他の実施形態が示されている。この実施形態では、本体部２の他端４に、第２花火差込部２０が設けられている。
【００３９】
図９には、図８の第２花火差込部２０のＢ−Ｂ断面図が示されている。図９に示されるように、第２花火差込部２０は、一端側に向かって内径Ｄ２が漸減するテーパー凹部２１と、テーパー凹部２１の底２１ｄで開口しかつ本体部２の長さ方向にのびる差込孔２２とを含んでいる。
【００４０】
このような第２花火差込部２０は、例えば、木串等で形成された手持ち花火の持ち手部分が差込孔２２に挿入されることにより、手持ち花火を保持することができる。このような第２花火差込部２０は、使用時、手持ち花火を本体部２の長さ方向の延長線上に保持する。このため、手持ち花火の燃焼部分と花火使用者の手元との距離がさらに大きく確保される。
【００４１】
テーパー凹部２１は、滑らかに湾曲した外面２１ｓを含んでいるのが望ましい。テーパー凹部２１の深さｄ１は、例えば、３〜５mmである。このようなテーパー凹部２１は、手持ち花火の持ち手部分を差込孔２２に差込むとき、効果的に前記持ち手部分を底２１ｄに案内する。
【００４２】
差込孔２２は、本体部２の長さ方向に沿って直線状にのびている。差込孔２２の長さＬ３は、例えば、４０〜５０mmである。差込孔２２の内径ｔ３は、例えば、２．０〜２．５mmである。このような差込孔２２は、前記持ち手部分を容易に挿入することができ、しかも、その脱落を効果的に抑制する。
【００４３】
以上、本考案の特に好ましい実施形態について詳述したが、本考案は上記の実施形態に限定されることなく、種々の態様に変形して実施しうる。
【符号の説明】
【００４４】
１  花火保持具
２  本体部
３  一端
４  他端
５  第１花火差込部
１０  スリット
【図１】
0003190509.tif 000003
【図２】
0003190509.tif 000004
【図３】
0003190509.tif 000005
【図４】
0003190509.tif 000006
【図５】
0003190509.tif 000007
【図６】
0003190509.tif 000008
【図７】
0003190509.tif 000009
【図８】
0003190509.tif 000010
【図９】
0003190509.tif 000011